(57)【要約】【課題】従来から用いられているフックネジは、一端部にフック部を形成し他端部にねじ部を形成しただけのものであったため、腕力の強い者は素手でねじ入れることができても、腕力の弱い人はペンチやフライヤーなどでフック部を挟んでねじ入れなくてはならないために、作業性が悪く、また狭い場所にはねじ入れにくいという欠点があった。【解決手段】本発明にかかる建具は、ベース部と、該ベース部にねじ込むねじ部材と並行方向に配置するフック部とを連結して構成し、ねじ挿通穴の軸方向でみて、フック部とねじ挿通穴とが重ならないことを特徴とし、これにより、ベース部を有しドライバーでネジを用いてねじ込むことができるフックを実現した。これにより、腕力の弱い者でも簡単にフックネジを取り扱うことができる。また、ねじ部材さえ変更すれば、コンクリートや太い木材、金属素材にもフックネジを使用することができる。【選択図】図１
2020176716.tif 000002
【特許請求の範囲】
【請求項１】
ベース部と、
前記ベース部に対し、その一端部で一体に設けられるフック部とを備え、
前記ベース部には、ねじ部と前記ねじ部の一端部に一体に設けられる頭部とを有するねじ部材を挿通させるためのねじ挿通穴が形成されており、
前記ベース部は、前記ねじ挿通穴に前記ねじ部材が挿通された状態で、前記頭部の内端面に係合する係合面を有し、
前記ねじ挿通穴の軸方向でみて、前記フック部と前記ねじ挿通穴とが重ならないことを特徴とする建具。
【請求項２】
前記ベース部は、前記ねじ挿通穴に前記ねじ部材が挿通された状態で前記ねじ部材に対し、回転可能に設けられることを特徴とする請求項１に記載の建具。
【請求項３】
前記ベース部の外周面には、前記ねじ挿通穴の軸方向に沿って伸びている少なくとも一対の平坦面が設けられることを特徴とする請求項１または２に記載の建具。
【発明の詳細な説明】
【技術分野】
【０００１】  本発明は、板やコンクリートの壁や柱などにねじ込んで取り付ける建具の構成に関する。
【背景技術】
【０００２】  従来から用いられているフックネジ（建具の一例）は、一端部にフック部を形成し他端部にねじ部を形成しただけのものであったため、腕力の強い者は素手でねじ入れることができても、腕力の弱い人はペンチやフライヤーなどでフック部を挟んでねじ入れなくてはならないために、作業性が悪く、また狭い場所にはねじ入れにくいという欠点があった。【０００３】  これに対し、特許文献１に開示されるフックネジでは、フック部にネジ頭を設け、板壁や柱などにねじ入れる時には、そのネジ頭にドライバーを嵌合させてねじ入れることができるようにしている。
【先行技術文献】
【特許文献】
【０００４】
【特許文献１】公開実用昭和５６−６２４１３号公報
【０００５】  上記のフックネジによれば、確かに素手でねじ入れる必要はなく、ドライバーを用いてねじ入れることができるが、ドライバーをネジ頭に合せる際にフックネジがぐらついて不安定になり、ねじ入れることが難しいという問題があった。
【発明の概要】
【発明が解決しようとする課題】
【０００６】  そこで、本発明はかかる問題点を解消し、またフックネジをねじ込み終わった際に、フックの向きが必ずしも思い通りの方向にならないという、フックネジのもつ根本的な問題を解消できる建具を提供することにある。
【課題を解決するための手段】
【０００７】  上記課題は下記構成により解決される。
（１）ベース部と、
前記ベース部に対し、その一端部で一体に設けられるフック部とを備え、
前記ベース部には、ねじ部と前記ねじ部の一端部に一体に設けられる頭部とを有するねじ部材を挿通させるためのねじ挿通穴が形成されており、
前記ベース部は、前記ねじ挿通穴に前記ねじ部材が挿通された状態で、前記頭部の内端面に係合する係合面を有し、
前記ねじ挿通穴の軸方向でみて、前記フック部と前記ねじ挿通穴とが重ならないことを特徴とする建具。
（２）前記ベース部は、前記ねじ挿通穴に前記ねじ部材が挿通された状態で前記ねじ部材に対し、回転可能に設けられることを特徴とする（１）に記載の建具。
（３）前記ベース部の外周面には、前記ねじ挿通穴の軸方向に沿って伸びている少なくとも一対の平坦面が設けられることを特徴とする（１）または（２）に記載の建具。【０００８】  すなわち本発明にかかる建具は、ベース部と、該ベース部にねじ込むねじ部材と並行方向に配置するフック部とを連結して構成する。フック部はねじ部材と接触を避けるため、ベース部のねじ挿通穴上には配置しない。
【発明の効果】
【０００９】  このように本発明では、ねじ挿通穴の軸方向でみて、フック部とねじ挿通穴とが重ならないことを特徴とし、ドライバーでネジを用いてねじ込むことができる建具を実現したので、腕力の弱い者でも簡単にフックネジを取り扱うことができる。また、ねじ部材さえ変更すれば、コンクリートや太い木材、金属素材にもフックネジを使用することができる。【００１０】  また、本発明では、建具のベース部は、ねじ挿通穴にねじ部材が挿通された状態でねじ部材に対し、回転可能に設けられることを特徴とし、ドライバーでネジを用いてねじ込む作業に際し、概ねねじ込み終わる段階でベース部を回転させ、フックの向きを思い通りの方向に定めることができる。【００１１】  さらに、本発明では、ベース部の外周面には、ねじ挿通穴の軸方向に沿って伸びている少なくとも一対の平坦面が設けられることを特徴とし、ドライバーでネジを用いてねじ込む作業に際して、ベース部をニッパーやレンチで固定することができ、作業が容易になる。
【図面の簡単な説明】
【００１２】
【図１】本発明にかかる建具を説明する斜視図である。
【図２】本発明にかかる建具を説明する上面図である。
【図３】本発明にかかる建具の変形例である。
【発明を実施するための形態】
【００１３】  本発明に係る実施形態を、図面を参照しながら説明する。図１ないし図２は本発明にかかる建具の実施例を示している。図１において本発明にかかる建具１は、丸型のフック６を有するフック部３と六角ナットの形状であるベース部２を溶接７などにより連結して構成し、ベース部２の中央部にはねじ挿通穴４があり、ねじ挿通穴４にはネジ溝５が切られている。フック部３は、ベース部２にねじ込むねじ部材１０と並行方向に配置してベース部２と溶接部分７などにより連結し、かつねじ部材１０と接触を避けるため、ねじ挿通穴４の軸方向でみて、フック部３とねじ挿通穴４とが重ならない配置となっている。フック部３はベース部２に溶接などをして取り付けても、ベース部２と一体成型（例えば金型での流し込みによる一体成型）してもよい。また、フック部３は図１ないし図２において、六角ナットの形状とし、ねじ溝５を有することとしているが、これに限らずベース部の外周面には、ねじ挿通穴の軸方向に沿って伸びている少なくとも一対の平坦面が設けられることを特徴としていればスパナなどでベース部を固定することができ、さらに図３のようにカラー７のように円形であっても、ねじ溝５がなくともよい。またフック部３のフック６の形状は、丸型、Ｌ字型の形状などフックの機能を有するものであれば、種々の形状のものを採用することができる。
【００１４】  図１の本発明にかかる建具を使用する際の方法を説明する。本発明にかかる建具を用いる対象物としては、柱、ベニヤ壁、天井、コンクリート壁などであり、それら対象物に衣服、カレンダー、記念写真、簡易な照明、虫よけネット、日よけシートなどを吊り下げる、もしくは固定する状況を想定している。それら対象物に対して、まず本発明にかかる建具のベース部２を連結しているフック部３を指などでつまみ持ち上げて、固定したい場所を決め、反対の手の指でベース部２のねじ挿通穴４にねじ部材１０を差し込み、次にドライバーをねじ頭１１に嵌合させた上で、対象物にねじ部材１０をねじ込んでいく。概ねねじ部材１０を対象物にねじ込んだところで、図２のとおり、フック部３またはベース部２を片手の指またはスパナ１４などで設置したい方向１３に修正した上で、ドライバーでねじ部材３を対象物に最後までねじ込んで本発明にかかる建具の設置を完了する。
【００１５】  図３は、ベース部２を六角ナットではなく、カラー８に変更した場合の変形例である。本変形例は、フック部３にネットなどを掛ける状況で、対象物に対して、本発明にかかる建具のベース部２を回動自在にしておき、フック６の方向が変更できるようにしたい際には有効である。この場合、対象物に対して、まず本発明にかかる建具のベース部２を連結しているフック部３を指などでつまみ持ち上げて、固定したい場所を決め、反対の手の指でベース部２のねじ挿通穴４にねじ部材１０を差し込み、次にドライバーをねじ頭１１に嵌合させた上で、対象物にねじ部材１０をねじ込んでいくが、概ねねじ部材１０を対象物にねじ込む手前でねじ込みを止め、ベース部２を回動自在にしておく。カラー８にはネジ溝がないため、対象物には本発明にかかる建具１はねじ部材１０でしっかりと固定できているが、ベース部２を回動自在にしておくことができる。
【符号の説明】
【００１６】１    建具
２    ベース部
３    フック部
４    ねじ挿通穴
５    ねじ溝
６    フック
７    溶接部分
８    カラー
１０  ねじ部材
１１  ねじ頭
１３  ベース部の回動方向
１４  スパナ
【図１】
2020176716.tif 000003
【図２】
2020176716.tif 000004
【図３】
2020176716.tif 000005
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
ベース部と、
前記ベース部に対し、その一端部で一体に設けられるフック部とを備え、
前記ベース部には、ねじ部と前記ねじ部の一端部に一体に設けられる頭部とを有するねじ部材を挿通させるためのねじ挿通穴が形成されており、
前記ベース部は、前記ねじ挿通穴に前記ねじ部材が挿通された状態で、前記頭部の内端面に係合する係合面を有し、
前記ねじ挿通穴の軸方向でみて、前記フック部と前記ねじ挿通穴とが重ならならず、
前記ベース部の外周面には、前記ねじ挿通穴の軸方向に沿って伸びている少なくとも一対の平坦面が設けられ、
前記一対の平坦面は、互いに前記ねじ挿通穴を介し対向して配置されることを特徴とする建具。
【請求項２】
前記ベース部は、前記ねじ挿通穴に前記ねじ部材が挿通された状態で前記ねじ部材に対し、回転可能に設けられることを特徴とする請求項１に記載の建具。